(57)【特許請求の範囲】
【請求項１】
複数の空間（４４、４６、４８）および／または複数の空間領域を空調するマルチチャネル空調設備（２）であって、
空調されるべき各空間（４４、４６、４８）または各空間領域におけるそれぞれ少なくとも１つの空気流入装置（５２）と、
給気ファン（８、１０）と、
制御ユニット（１１０）と、
少なくとも２つの給気チャネル（４、６）と、を有するマルチチャネル空調設備において、
少なくとも２つの給気ファン（８、１０）が設けられており、異なる給気チャネル（４、６）の各々に、少なくとも１つの給気ファン（８、１０）と、暖房調節装置（１２、１４、３４、６０）と、冷房調節装置（３２、５８）とが配置されており、
少なくとも１つの循環気チャネル（２８、３０、８６）および少なくとも１つの外気チャネル（２４、２６）が設けられており、
各給気ファン（８、１０）は、吸気チャネルに接続されており、当該吸気チャネルは、循環気チャネル（２８、３０）および外気チャネル（２４、２６）に接続可能であり、
各給気チャネル（４、６）の少なくとも１つの給気ファン（８、１０）へ給気される空気の循環気の割合および／または外気の割合は、制御ユニット（１１０）によって決定され、
少なくともそれぞれ１つが各給気チャネル（４、６）に割り当てられたフラップ（５４、７２）が設けられており、前記制御ユニット（１１０）によって調節される当該フラップ（５４、７２）によって、前記各給気チャネル（４、６）から前記空調されるべき空間（４４、４６、４８）へのまたは前記空間領域への、割合に応じた給気が決定される、
ことを特徴とするマルチチャネル空調設備（２）。
【請求項２】
各給気チャネル（４、６）に少なくとも１つの給気ファン（８、１０）が組み込まれている、請求項１記載のマルチチャネル空調設備。
【請求項３】
前記制御ユニット（１１０）は全ての給気ファン（８、１０）の回転数を開ループ制御することによって、各給気チャネル（４、６）に送出されるべき空気量を開ループ制御する、請求項１または２記載のマルチチャネル空調設備。
【請求項４】
ａ）前記外気チャネル（２４、２６）に少なくとも１つの外気フラップ（１０２、１０６；１０４、１０８）が組み込まれている、という特徴、
ｂ）前記循環気チャネル（２８、３０）に循環気フラップ（９４、９６；９８、１００）が組み込まれている、という特徴および
ｃ）排気チャネル（８８）が設けられており、かつ、排気フラップ（９０、９２）が当該排気チャネル（８８）に組み込まれている、という特徴
のうちの１つまたは複数の特徴が満たされている、請求項１から３のいずれか１項記載のマルチチャネル空調設備。
【請求項５】
ａ）前記制御ユニット（１１０）は当該外気フラップ（１０２、１０６；１０４、１０８）を閉ループ制御する、という特徴、
ｂ）前記制御ユニット（１１０）は、前記給気における循環気の割合を決定するために、当該循環気フラップ（９４、９６；９８、１００）を閉ループ制御する、という特徴および
ｃ）前記制御ユニット（１１０）は、空間または空間領域から出る空気における排気の割合を決定するために、当該排気フラップ（９０、９２）を閉ループ制御する、という特徴
のうちの１つまたは複数の特徴が満たされている、請求項４記載のマルチチャネル空調設備。
【請求項６】
前記制御ユニット（１１０）は、前記空間（４４、４６、４８）、前記空間領域、および／または前記給気チャネル（４、６）／空間または空間領域から出る空気のためのチャネル（８２）に組み込まれている環境センサ（６４、６６、６８；７６、７８、８０）と協働する、請求項１から５までのいずれか１項記載のマルチチャネル空調設備。
【請求項７】
前記各給気チャネル（４、６）の給気ファン（８、１０）への給気における循環気の割合および／または外気の割合は、温度、湿度、空気質、密度、圧力から成るパラメータ群のうちの少なくとも１つのパラメータに依存して、前記制御ユニット（１１０）によって決定される、請求項６記載のマルチチャネル空調設備。
【請求項８】
前記制御ユニット（１１０）は、前記給気ファン（８、１０）の回転数を閉ループ制御し、当該閉ループ制御は、前記環境センサのパラメータに基づく給気割合に応じた、前記各空間（４４、４６、４８）または空間領域への給気の要求に依存して行われる、請求項６または７記載のマルチチャネル空調設備。
【請求項９】
給気チャネル（４、６）は、バイパスチャネル（２０）を介して相互に接続可能であり、当該バイパスチャネル（２０）にはバイパスフラップ（２２、２２ａ）が組み込まれている、請求項１から８までのいずれか１項記載のマルチチャネル空調設備。
【請求項１０】
前記バイパスフラップ（２２、２２ａ）は前記制御ユニット（１１０）と協働する、請求項９記載のマルチチャネル空調設備。
【請求項１１】
給気チャネル（４、６）は、給気ファン（８、１０）の下流側に接続された、冷房調節装置、暖房調節装置、加湿器、除湿器、エアフィルター、芳香具、イオン化装置のうちの少なくとも１つをそれぞれ含んでいる、請求項１から１０までのいずれか１項記載のマルチチャネル空調設備。
【請求項１２】
請求項６を引用する請求項１から１１までのいずれか１項記載のマルチチャネル空調設備の動作方法であって、
前記環境センサ（６４、６６、６８；７６、７８、８０）を介して、割り当てられている各区間、例えばチャネル、空間、空間領域の実際の状態を検出し、前記制御ユニット（１１０）に格納されている目標値と比較し、評価し、ここから制御パラメータを形成し、
当該制御パラメータに依存して、前記給気ファン（８、１０）の回転数と、前記給気チャネル（４、６）にそれぞれ割り当てられているフラップ（７２、７４）のフラップ位置とを前記制御ユニット（１１０）によって決定し、これによって、前記空調されるべき空間または空間領域への前記各給気チャネル（４、６）からの給気量を割合に応じて割り当てる、
ことを特徴とする、マルチチャネル空調設備の動作方法。
【請求項１３】
循環気の割合および／または外気の割合を、前記制御パラメータに依存して調節する、請求項１２記載の方法。
【請求項１４】
物理的な特性値に従って、前記制御パラメータに依存して、空気を調節する、請求項１２または１３記載の方法。
【発明の詳細な説明】
【技術分野】
【０００１】
本発明は、請求項１の上位概念に示された様式に従ったマルチチャネル空調設備並びに当該空調設備の動作方法に関する。
【０００２】
独国特許発明第１０２００８０１０６５６号明細書から、２チャネル空調設備が既知である。この空調設備は、通常、循環気および／または外気をこの２チャネルシステムに搬送する給気ファンを１つ有している。この給気ファンの後に暖房調節装置が接続されており、この暖房調節装置の後で給気チャネルが２つの給気チャネルに分かれる。これらの給気チャネルには、制御フラップの形態のフラップ装置が組み込まれている。さらに、各給気チャネルに対して空気量が調節される。これらの給気チャネルから、分岐チャネルが、空調されるべき空間または空間領域へと延びる。空調されるべき空間ないし空間領域の前には、他のフラップが接続されている。これらのフラップは、空調されるべき空間ないし空調されるべき空間領域に対する、各給気チャネルからの空気量を制御する。給気ファンの前には、吸気チャネルが接続されている。この吸気チャネルは、外気チャネルと循環気チャネルとに接続されている。
【０００３】
この既知の２チャネル空調設備は、給気ファンが１つしか設けられていない、という欠点を有している。これによって、この給気ファンが故障した場合には、設備全体が停止してしまう。なぜならこれ以降、外気および／または循環気は給気チャネルに能動的には供給されなくなってしまうからである。さらに、給気チャネルに組み込まれているフラップによって、２つの給気チャネルへの分割後に圧力損失が生じ得る。これによってエネルギーが失われる。このことは２チャネル空調設備の効率の妨げとなる。
【０００４】
既知の２チャネル空調設備では、１つの給気ファンに、外気も循環気も供給される。循環気の割合は、循環気の空気質と、空調されるべき空間ないしは空調されるべき空間領域の空気質と、循環気のエネルギー含量と、空調されるべき空間ないしは空間領域のエネルギー需要とに依存する。しかしこれらの状況と要求は、空調されるべき空間ないしは空間領域毎に著しく異なり得る。従って空調されるべき空間ないし空間領域に関連して、異なった循環気需要が生じ得る。既知の２チャネル空調設備は、このような異なった循環気需要に適していないことがある。なぜなら、既知の２チャネル空調設備は、特に、複数の給気チャネルに関連した異なる空気質要求に関連して異なるエネルギー需要をカバーすることができるほど十分に柔軟には設計されていないからである。
【０００５】
例えば、この既知の２チャネル空調設備が、複数の空間を空調する状況が生じ得る。冬季の動作時には、全ての空間において暖房の要望があり、従って、給気チャネルには、特定の温度の暖気が供給される。空間のこのようなエネルギー需要に相応して、１つの給気チャネルからのみの空気量が必要であり、別のチャネルからの給気は必要ない。ある１つの空間では空気質が低下し、それによって、この空間では、外気の需要が高まる。この結果、既知の２チャネル空調設備では、循環気の割合が格段に低下し、外気の割合が上昇する。外気の割合は、この場合には、空気質が最も悪い空間の目標設定に合わせられる。従って、全ての空間に、必要とされるよりも高い割合で外気が給気される。これによって、エネルギー損失が著しく高くなってしまう。
【０００６】
従って本発明の課題は、請求項１の上位概念に示されている様式に従ったマルチチャネル空調設備を改良して、上述した欠点を回避すること、および、マルチチャネル空調設備を意図したように閉ループ制御するのを可能にすることである。
【０００７】
上述の課題は、上位概念に記載された特徴と関連して、請求項１の特徴部分に記載された特徴によって解決される。
【０００８】
本発明は、次のような認識に基づいている。すなわち、上位概念に記載されたマルチチャネル空調設備の少なくとも２つの各給気チャネルに給気ファンを設けることによって、故障時の動作確実性を高めるとともに、エネルギーを節約することもできる、という認識である。なぜなら、異なるパラメータを有する、または、異なる空気質を有する空気を供給する際に、開ループ制御および閉ループ制御において高い柔軟性が得られるからである。
【０００９】
従って本発明では、少なくとも２つの給気ファンが設けられている。ここでは異なる各給気チャネルの各々に少なくとも１つの給気ファンが配置されている。これによって容易に、マルチチャネル空調設備の高い故障時動作確実性が保証され、エネルギーを節約することができる。
【００１０】
各給気チャネルに１つの給気ファンが組み込まれている場合、閉ループ制御の柔軟性と効果とが、殊に、さらに高められる。給気ファンを介して、一方では、給気チャネルあたりの給気量を個別に開ループ制御することができる。これによってさらに、極めて高い故障時動作確実性が得られる。
【００１１】
本発明の１つの実施形態では、吸気チャネルに、循環気チャネルおよび／または外気チャネルが接続されている。給気チャネルは、給気ファンの前では、吸気チャネルと称される。さらに、給気ファンには、循環気および／または外気が供給される。従って、空調されるべき空間または空間領域に対する供給空気は、循環気および／または外気から生成される。
【００１２】
特に、制御ユニットは、全ての給気ファンの回転数、ひいては、各給気チャネルに送出されるべき空気量を開ループ制御する。
【００１３】
殊に、各給気チャネルに割り当てられた、少なくとも１つのフラップがそれぞれ設けられている。ここでは、制御装置によって調節されるこのフラップによって、各給気チャネルから空調されるべき空間または空間領域への、割合に応じた給気が決定される。
【００１４】
各給気ファンには、吸気チャネルが接続され得る。この吸気チャネルは、循環気チャネルおよび／または外気チャネルと接続されている。
【００１５】
本発明のある実施形態では、殊に、以下の特徴ａ）〜ｃ）のうちの１つまたは複数が満たされている。
ａ）外気チャネルに少なくとも１つの外気フラップが組み込まれており、特に制御ユニットはこの外気フラップを閉ループ制御する
ｂ）循環気チャネルに１つの循環気フラップが組み込まれており、特に制御ユニットはこの循環気フラップを閉ループ制御し、これによって、供給される空気の循環気の割合を決定する
ｃ）排気チャネルが設けられており、この排気チャネルに１つの排気フラップが組み込まれており、特に制御ユニットはこの排気フラップを閉ループ制御し、これによって、空間または空間領域から出る空気における排気割合を決定する
【００１６】
制御ユニットは、空間、空間領域および／または吸気および／または空間または空間領域から出る空気のためのチャネルに組み込まれている環境センサと協働することができる。すなわち、温度、湿度、空気質、密度、圧力のセンサと協働することができる。
【００１７】
殊に、各給気チャネルの給気ファンへ給気される空気の循環気の割合および／または外気の割合は、以降のパラメータ群のうちの少なくとも１つのパラメータに依存して、制御ユニットによって決定される。これらのパラメータは、温度、湿度、空気質、密度、圧力である。環境センサは、空調されるべき空間または空間領域に、空間または空間領域から出る空気のためのチャネルに、排気チャネルに、外気チャネルに、循環気チャネルにおよび／または給気チャネルに配置可能である。すなわち、全ての区画に配置可能である。環境センサはここで、以下の測定値／実際値を検出することができる。すなわち、温度、湿度、空気質、密度、圧力を検出することができる。これらの値は、制御ユニットに格納されている目標値と比較され、評価され、ここから制御パラメータが得られる。これらの制御パラメータには、空調設備のアクチュエータのための制御信号が割り当てられている。また、これらの制御パラメータには、給気ファンのための制御信号も割り当てられている。
【００１８】
特に制御ユニットは給気ファンの回転数を、各空間または空間領域への給気の必要性に依存して、環境センサのパラメータをベースにした給気空気の割合に相応して閉ループ制御する。
【００１９】
殊に、少なくとも１つの給気チャネルは、以下のエアコンディショニングユニット群のうちの少なくとも１つのコンポーネントを含んでいる。これらのエアコンディショニングユニットは、冷房調節装置、暖房調節装置、加湿器、除湿器、エアフィルター、芳香具、イオン化装置等である。
【００２０】
複数の給気チャネルをバイパスチャネルを介して相互に接続することによって、この設備の柔軟性を高めることもできる。ここでこのバイパスチャネルには、バイパスフラップが取り付けられている、例えば、１つの給気ファンが故障した場合に、バイパスチャネルを介して接続されている別の給気チャネルから空気を供給することが可能である。これによって、故障時の動作確実性を保証することができる。
【００２１】
バイパスチャネルは、ここで、制御ユニットと協働することができる。
【００２２】
本発明の他の態様では、本発明は、マルチチャネル空調設備の動作方法に関する。この方法では、
ａ）圧力センサ、温度センサ、湿度センサ、空気質用のセンサ等である環境センサを介して、チャネル、空間および空間領域等の各区画の実際の状態を検出し、これを制御装置に格納されている目標値と比較し、評価し、ここから制御パラメータを得るステップ
ｂ）この制御パラメータに依存して、給気ファンの回転数、および、各給気チャネルにそれぞれ割り当てられているフラップのフラップ位置を制御ユニットによって決定し、これによって、空調されるべき空間または空間領域への各給気チャネルからの給気量の、割合に応じた割り当てを実現するステップ
が設けられている。
【００２３】
特に、
ｃ）制御パラメータに依存して給気を調節するステップ
が実行される。
【００２４】
殊に、
ｄ）制御パラメータに依存して、空調されるべき空間および／または空間領域への、給気の空気量の分配を行うステップ
が実行される。
【００２５】
別の態様では、
ｅ）制御パラメータに依存して、空間または空間領域から出る空気のためのモータ、空間または空間領域から出る空気のためのフラップおよび／または排気フラップ並びに空間間を移動する空気のためのフラップを閉ループ制御するステップ
が実行される。
【００２６】
殊に、空間または空間領域から出る空気のエネルギー含量を考慮するために、
ｆ）循環気の割合および／または外気の割合を、制御パラメータに依存して調節するステップ
が実行される。
【００２７】
特に、エアコンディショニングは、物理的な特性値に応じて、制御パラメータに依存して行われる。
【００２８】
本発明の他の利点、特徴および使用方法を、図示の実施例に関連して、以降の明細書に記載する。
【００２９】
明細書、特許請求の範囲および図面では、以降に挙げられた符号のリストにおいて使用されている用語と、割り当てられている符号とが使用されている。
【図面の簡単な説明】
【００３０】
【図１】本発明の２チャネル空調設備のブロック図
【図２】アクチュエータと環境センサとが接続されている制御ユニットの概要図
【実施例】
【００３１】
図１には、本発明の２チャネル空調設備２のブロック図が示されている。２チャネル空調設備２は、２つの給気チャネル４、６を有している。各給気チャネル４、６には、給気ファン８、１０と、各給気ファン８、１０の下流側に接続されている暖房調節装置１２、１４とが組み込まれている。暖房調節装置１２、１４の下流側にはそれぞれ、温度センサ１６、１８が接続されている。温度センサ１６、１８の下流側には、２つの給気チャネル４、６同士を接続するバイパスチャネル２０が設けられている。このバイパスチャネル２０には、バイパスフラップ２２が組み込まれている。このバイパスフラップは、バイパスフラップ用モータ２２ａによって動かされる。
【００３２】
各供給チャネル４、６は、外気チャネル２４、２６と、循環気チャネル２８、３０とに接続されている。給気ファン８、１０の前で、給気チャネル４、６は、吸気チャネルとも称される。
【００３３】
温度センサ１６とバイパスチャネル２０との下流側で、第１の給気チャネル４には、まずは冷房調節装置３２が配置され、次に暖房調節装置３４が配置され、続いて加湿装置３６が配置されている。次に第１の給気チャネル４において、加湿装置３６の下流側にさらに、温度センサ３８、湿度センサ４０並びに圧力センサ４２が組み込まれている。第１の給気チャネル４は、それぞれ空間４４、４６および４８と接続可能である。このためにそれぞれ分岐チャネル５０が設けられている。この分岐チャネルは、各空間４４、４６、４８のための空気流入口５２と接続されている。分岐チャネル５０は、第１の給気チャネル４の一部である。この分岐チャネル５０には、フラップ５４が取り付けられている。このフラップ５４は、モータ５６を介して動かされる。
【００３４】
第２の給気チャネル６も、第１の給気チャネル４と同様に構成されている。温度センサ１８およびバイパスチャネル２０の後に、冷房調節装置５８、暖房調節装置６０並びに加湿装置６２が接続されている。加湿装置６２には、温度センサ６４、湿度センサ６６並びに圧力センサ６８が接続されている。
【００３５】
第２のチャネル６からはそれぞれ第２の分岐チャネル７０が延びている。これは、各空間４４、４６、４８の空気流入口５２と接続されている。第２の分岐チャネル７０には、フラップ７２が組み込まれている。このフラップは、モータ７４によって動かされる。
【００３６】
空間４４、４６、４８にはそれぞれ、温度センサ７６、湿度センサ７８並びに空気質センサ８０が設けられている。個々のセンサを介して、空間４４、４６、４８の温度、湿度および空気質が検出され、閉ループ制御される。閉ループ制御回路では、各空間に対して、相応する目標値が設定される。ここで、各給気チャネル２０、２２内の、冷房調節装置３２、５８、暖房調節装置３４、６０および加湿装置３６、６２は、次のような場合にのみ起動される。すなわち、２つの給気チャネル４、６のうちの少なくとも１つにおいて、一時的に、空調されるべき空間４４、４６、４８の冷房および暖房のための温度または湿度が十分でない場合である。通常、空調されるべき空間４４、４６、４８への空気流入口５２は、給気チャネル４、または、給気チャネル６とのみ接続されている。従って、空気は混合されず、第１の給気チャネル４からのみ、または、第２の給気チャネル６からのみ、空気が供給される。
【００３７】
フラップ５４および７２を介して、空間ないしは空間領域においてそれぞれ必要とされる空気量が調節される。空調されるべき各空間４４、４６、４８に対する給気量は、制御ユニットで検出されたセンサ測定値、および、その評価、および、ここから生じる制御パラメータに依存して変化する。
【００３８】
給気チャネル４、６の圧力は、空調されるべき空間４４、４６、４８の必要な空気量に依存して、給気ファン８、１０を介して閉ループ制御される。
【００３９】
冷房調節装置３２、５８、暖房調節装置３４、６０並びに加湿装置３６、６２は、各給気チャネル２０、２２で、温度および／または密度値および／または湿度値が設定値に相当していない場合にのみ、起動される。
【００４０】
冷房調節装置３２、５８並びに暖房調節装置１２、１４、３４および６０は、所定の温度領域にわたって調節可能である。
【００４１】
フラップ５４および７２は、次のように構成されている。すなわち、必要に応じて、給気チャネル４、６のうちの１つの給気チャネルのみも、空調空間４４、４６、４８への空気流入口５２と接続可能であるように構成されている。フラップ５４と７２とを介して、さらに、各給気チャネル４、６からの空気量が、相互に依存せずに開ループ制御される。
【００４２】
空間または空間領域から出る空気のためのチャネル８２を介して、空間または空間領域から出る空気が空間４４、４６、４８から送出される。このために、空間または空間領域から出る空気のためのファン８４が空間または空間領域から出る空気のためのチャネル８２に組み込まれている。この、空間または空間領域から出る空気のためのチャネル８２から循環気チャネル８６が分岐し、この循環気チャネル８６は、循環気チャネル２８と循環気チャネル３０とに分岐する。空間または空間領域から出る空気のためのチャネル８２からの、循環気チャネル８６の分岐の後に、排気チャネル８８が接続されている。
【００４３】
この排気チャネル８８には、排気フラップ９０が組み込まれている。この排気フラップ９０は、排気フラップ用モータ９２によって動かされる。さらに循環気チャネル２８には、循環気フラップ９４が組み込まれている。この循環気フラップ９４は循環気フラップ用モータ９６によって動かされる。同様に循環気チャネル３０には、循環気フラップ９８が組み込まされている。この循環気フラップ９８は、循環気フラップ用モータ１００によって動かされる。
【００４４】
外気チャネル２４には外気フラップ１０２が組み込まれており、外気チャネル２６には外気フラップ１０４が組み込まれている。外気フラップ１０２は、外気フラップ用モータ１０６によって動かされ、外気フラップ１０４は外気フラップ用モータ１０８によって動かされる。
【００４５】
図２には、概要図で、図１に示された２チャネル空調設備２の制御ユニット１１０が示されている。制御ユニット１１０は、信号線路１１２を介して環境センサと接続されている。すなわち、温度センサ１６と、温度センサ１８と、温度センサ３８と、湿度センサ４０と、圧力センサ４２と、温度センサ６４と、湿度センサ６６と、圧力センサ６８と、温度センサ７６と、湿度センサ７８と、空気質センサ８０と接続されている。
【００４６】
さらに、制御ユニット１１０は、信号線路１１４を介して、個々のフラップのモータと接続されている。すなわち、バイパスフラップ用モータ２２ａと、第１の分岐回路のフラップ用のモータ５６と、第２の分岐チャネルのフラップ用のモータ７４と、排気フラップ用モータ９２と、循環気フラップ用モータ９６と、循環気フラップ用モータ１００と、外気フラップ用モータ１０８と、外気フラップ用モータ１０４と接続されている。
【００４７】
制御ユニット１１０は、信号線路１１６を介して、ファンおよびエアコンディショニングユニットと接続されている。すなわち、給気ファン８と、給気ファン１０と、空間または空間領域から出る空気のためのファン８４と、暖房調節装置１２と、暖房調節装置１４と、冷房調節装置３２と、暖房調節装置３４と、加湿装置３６と、冷房調節装置５８と、加湿装置６２と、暖房調節装置６０と、自由選択的な、図示されていない空気質改善装置、例えば芳香具、イオン化装置等と接続されている。
【００４８】
制御ユニット１１０は、ここで、２チャネル空調設備を以下のステップで閉ループ制御する。すなわち、
ａ）環境センサ１６、１８、３８、４０、４２、６４、６６、６８、７６、７８、８０を介して、各割り当てられている区間、すなわちチャネル、空間、空間領域等の実際状態を検出し、制御装置１１０に格納されている目標値と比較し、評価し、ここから割り当てられた制御パラメータを得るステップ
ｂ）制御パラメータに依存して、外気の割合および／または循環気の割合の調節を、循環気フラップ９４、９８並びに外気フラップ１０２および１０４、および場合によっては排気フラップ９０の位置も介して行うステップであって、このために、モータ９２、９６、１００、１０６、１０８は相応の位置信号を制御ユニット１０から得る
ｃ）制御パラメータに依存して供給空気を調節し、必要に応じて、冷房調節装置３２、５８によって冷房を行い、暖房調節装置１２、１４、３４、６０を介して暖房を行い、加湿装置３６、６２を介して加湿を行い、冷房調節装置３２、５８および暖房調節装置３４、６０と協働して除湿を行うステップ
ｄ）制御パラメータに依存して、給気ファン８、１０の回転数と給気チャネル４、６にそれぞれ割り当てられているフラップ５４、７２のフラップ位置とを制御ユニット１１０によって決定し、これによって、各給気チャネル４、６からの給気量の、割合に応じた割り当てを実現するステップであって、このために、モータ５６、７４は、相応の位置信号を制御装置１１０から得る
ｅ）制御パラメータに依存して、空間または空間領域から出る空気のためのモータ８４と排気フラップ９２とを閉ループ制御するステップであって、ここで、空間４４、４６、４８の後に、空間または空間領域から出る空気のためのチャネル８２に、見やすくするために図１および図２に示されていない、空間または空間領域から出る空気のためのフラップが組み込まれており、これらも制御パラメータに依存して閉ループ制御され、空間または空間領域から出る空気のためのチャネル８２の代わりに、これを部分的にまたは完全に、フラップを有する、または、フラップの無い、空間間移動空気流の開口部によって置換することができ、フラップは、ここでも同様に、制御ユニット１１０によって、特に制御パラメータに依存して閉ループ制御される。
【００４９】
本発明で、空調設備２は、各給気チャネル４、６において、種々の温度を提供することができる。ここで最低給気温度が最低目標値にセットされる、および／または、最高給気温度が最高目標値にセットされる。
【００５０】
第１の給気チャネル４と第２の給気チャネル６とは、異なる大きさの給気量および異なる出力の冷房調節装置および／または暖房調節装置に対して、異なる大きさの断面を有し得る。
【００５１】
冬季における、すなわち暖房の需要が大きい時期の使用例
全ての空間において、暖房の需要がある。従って給気される空気は、まずは、熱エネルギーを搬送する媒体となる。空気の汚染が少ない場合には、高い割合で循環気を使用することができる。占有されている複数の事務室と、人のいない１つの会議室とを例にする。全ての空間には、第１の給気チャネルによって暖気が供給される。フラップは、高い循環気割合が保証されるように、相応に調節される。暖房需要が高いので、結果として、送出されるべき空気量は多くなり、ひいては、第１の給気チャネルにおいて給気ファンの回転数が高くなる。循環気割合が高いので、空間または空間領域から出る空気のエネルギー含量が利用可能であり、付加的な暖房出力を低減することができる。
【００５２】
会議室が人でいっぱいになる。会議室の温度は人によって上昇し、会議室の暖房の要望は低減する。さらに、会議室の空気質は低下する。これによって、より多くの外気が望まれるようになる。この要求を満たすために、並びに、事務室の変化していない要求に適合するために、ここで会議室は第２の給気チャネルによって給気される。第２の給気チャネルは、第１の給気チャネルよりも低温の空気を供給し、これと並んで、より高い割合で外気を有している。これによって、付加的な給気ファンによってエネルギーが格段に節約されるのにもかかわらず、各空間の要求に個別に合わせることが可能になる。
【００５３】
図に基づいて、２チャネル空調設備を説明した。当然ながら、本発明は全てのマルチチャネル空調設備にも有効である。
【００５４】
記載したエアコンディショニングユニットの他に、マルチチャネル空調設備に他のエアコンディショニングユニットを組み込むこともできる。これは例えば芳香具、イオン化装置等である。
【００５５】
さらに、複数の、空間または空間領域から出る空気のためのファンを、１つおよび／または複数の、空間または空間領域から出る空気のためのチャネルに設けることもできる。
【符号の説明】
【００５６】
２  チャネル空調設備、  ４  給気チャネル（上方）、  ６  給気チャネル（下方）、  ８  給気ファン（上方）、  １０  給気ファン（下方）、  １２  暖房調節装置（上方）、  １４  暖房調節装置（下方）、  １６  温度センサ（上方）、  １８  温度センサ（下方）、  ２０  バイパスチャネル、  ２２  バイパスフラップ、  ２２ａ  バイパスフラップ用モータ、  ２４  外気チャネル（上方）、  ２６  外気チャネル（下方）、  ２８  給気チャネル４用の循環気チャネル、  ３０  給気チャネル６用の循環気チャネル、  ３２  冷房調節装置、  ３４  暖房調節装置、  ３６  加湿装置、  ３８  温度センサ、  ４０  湿度センサ、  ４２  圧力センサ、  ４４  空調されるべき空間、  ４６  空調されるべき空間、  ４８  空調されるべき空間、  ５０  第１の給気チャネルからの分岐チャネル、  ５２  空調されるべき空間への空気流入口、空気流入装置、  ５４  第１の分岐チャネルのフラップ、  ５６  第１の分岐チャネルのフラップのためのモータ、  ５８  冷房調節装置、  ６０  暖房調節装置、  ６２  加湿装置、  ６４  温度センサ、  ６６  湿度センサ、  ６８  圧力センサ、  ７０  第２の分岐チャネル、  ７２  第２の分岐チャネルのフラップ、  ７４  第２の分岐チャネルのフラップのためのモータ、  ７６  温度センサ、  ７８  湿度センサ、  ８０  空気質センサ、  ８２  空間または空間領域から出る空気のためのチャネル、  ８４  空間または空間領域から出る空気のためのファン、  ８６  循環気チャネル、  ８８  排気チャネル、  ９０  排気フラップ、  ９２  排気フラップ用モータ、  ９４  循環気フラップ、  ９６  循環気フラップ用モータ、  ９８  循環気フラップ、  １００  循環気フラップ用モータ、  １０２  外気フラップ、  １０４  外気フラップ用モータ、  １０６  外気フラップ、  １０８  外気フラップ用モータ、  １１０  制御ユニット、  １１２  信号線路、  １１４  信号線路、  １１６  信号線路
【図１】
0006297062.tif 000002
【図２】
0006297062.tif 000003